(57)【要約】【課題】分岐器のベアリング床板のベアリングを好適に清掃することができるベアリング清掃器具を実現する。【解決手段】ベアリング清掃器具１００を取り付けた電動ドライバー装置９０の駆動力によって回転されるローラー３０をベアリング２の球体３に接触させて、ローラー３０の回転力を伝達すれば球体３を回転させることができる。回転するローラー３０によってベアリング２の球体３を回転させれば、強制的に回転された球体３によってベアリング２内部に詰まっていた汚れを掻き出す清掃を好適に行うことができる。特に電動ドライバー装置９０によって回転されたローラー３０をベアリング２の球体３に接触させた状態で、姿勢安定部材４０の先端部４２をベアリング２の枠状部材４に当接させていることで、ベアリング２に対するローラー３０の位置ずれが規制されるようになっており、ローラー３０によって好適にベアリング２の球体３を回転させることができる。【選択図】図１
2018102824.tif 000002
【特許請求の範囲】
【請求項１】
球体と、円形の開口が形成された枠状部材とを有し、ベアリング床板の上面において前記球体の一部を前記開口から露出させて回転可能に保持しているベアリングを清掃するためのベアリング清掃器具であって、
電動ドライバー装置に取り付けられて回転する長尺な第１の回転軸の先端側に連結されており、前記第１の回転軸と交差する向きの第２の回転軸を中心に回転するローラーと、
前記第１の回転軸に沿って延在し、基端部が前記電動ドライバー装置に取り付けられ、先端部が前記ローラーの近傍に位置するように配される姿勢安定部材と、を備え、
前記電動ドライバー装置によって回転された前記ローラーを前記球体に接触させた状態で、前記姿勢安定部材の先端部を前記枠状部材に当接させることで、前記ベアリングに対する前記ローラーの位置ずれが規制されるように構成されていることを特徴とするベアリング清掃器具。
【請求項２】
前記ローラーはゴム製の部材であり、そのローラーの外周面には複数の凸部が設けられていることを特徴とする請求項１に記載のベアリング清掃器具。
【請求項３】
前記凸部は略円錐台形状を呈しており、前記ローラーの幅方向外側のものほど、ローラー中心からの先端の位置が高くなるように形成されていることを特徴とする請求項２に記載のベアリング清掃器具。
【請求項４】
前記凸部の先端には、前記ローラーの幅方向中央に向かって下る傾斜面が形成されており、前記ローラーの幅方向外側の凸部の傾斜面ほど、そのローラーの軸心となす角度が大きいことを特徴とする請求項３に記載のベアリング清掃器具。
【請求項５】
前記姿勢安定部材の先端部には、少なくとも３つの突起部が設けられていることを特徴とする請求項１〜４のいずれか一項に記載のベアリング清掃器具。
【請求項６】
前記突起部のうち少なくとも１つは可撓性を有していることを特徴とする請求項５に記載のベアリング清掃器具。
【請求項７】
前記第２の回転軸に取り付けられている前記ローラーと付け替え可能なローラー型ブラシを備えたことを特徴とする請求項１〜６のいずれか一項に記載のベアリング清掃器具。
【発明の詳細な説明】
【技術分野】
【０００１】
本発明は、鉄道の分岐器の可動クロッシングにおける可動レールを滑動可能に支承するベアリング床板のベアリングを清掃するのに用いるベアリング清掃器具に関する。
【背景技術】
【０００２】
鉄道の軌道には車両を他の軌道に分岐させるための分岐器（ポイント）が設けられている。
分岐器の可動クロッシングには、可動レールを滑動可能に支承する支承装置が配設されており、その支承装置には複数のフリーボールベアリング（以下、ベアリングと略す）が配設されたベアリング床板が組み付けられている（例えば、特許文献１参照。）。
このベアリング床板が備えているベアリングが回転不良を起こしてしまうと、可動レールやベアリング床板が損傷してしまうので、作業員がメンテナンスとして定期的にベアリングの清掃を手作業で行っている。
【先行技術文献】
【特許文献】
【０００３】
【特許文献１】特開２００７−２１１５６５号公報
【発明の概要】
【発明が解決しようとする課題】
【０００４】
しかしながら、ベアリングの内部に砂塵とグリースとが混ざった半固形状の汚れが固着してしまっていると、その汚れを作業員の手作業で掻き出すことには大変な労力や時間を要することがある。
分岐器には複数のベアリング床板が配設されており、各ベアリング床板には幾つものベアリングが設けられているので、ベアリング１つ当たりの清掃に時間を要してしまうと、列車の運行がない夜間に行う清掃・メンテナンス作業を所定の作業時間内に終わらすことが困難になることがあった。
【０００５】
本発明の目的は、ベアリング床板のベアリングを好適に清掃することができるベアリング清掃器具を提供することである。
【課題を解決するための手段】
【０００６】
上記目的を達成するため、この発明は、
球体と、円形の開口が形成された枠状部材とを有し、ベアリング床板の上面において前記球体の一部を前記開口から露出させて回転可能に保持しているベアリングを清掃するためのベアリング清掃器具であって、
電動ドライバー装置に取り付けられて回転する長尺な第１の回転軸の先端側に連結されており、前記第１の回転軸と交差する向きの第２の回転軸を中心に回転するローラーと、
前記第１の回転軸に沿って延在し、基端部が前記電動ドライバー装置に取り付けられ、先端部が前記ローラーの近傍に位置するように配される姿勢安定部材と、を備え、
前記電動ドライバー装置によって回転された前記ローラーを前記球体に接触させた状態で、前記姿勢安定部材の先端部を前記枠状部材に当接させることで、前記ベアリングに対する前記ローラーの位置ずれが規制されるように構成されているようにした。
【０００７】
このベアリング清掃器具を電動ドライバー装置に取り付ければ、電動ドライバー装置を操作することでベアリング清掃器具のローラーを回転させることができる。
電動ドライバー装置による駆動力によって回転されるローラーをベアリングの球体に接触させて、そのローラーの回転力を球体に伝達すれば、容易に球体を回転させることができる。
このように、ベアリング清掃器具を電動ドライバー装置に取り付けて使用すれば、高速回転するローラーによって、強制的にベアリングの球体を回転させることができ、強制的に回転された球体によってベアリングの内部に詰まって固着していた汚れを掻き出す清掃を好適に行うことができる。
【０００８】
特に、電動ドライバー装置によって回転されたローラーをベアリングの球体に接触させた状態で、姿勢安定部材の先端部をベアリングの枠状部材に当接させていることで、ベアリングに対するローラーの位置ずれが規制されるようになっており、ローラーによって好適にベアリングの球体を回転させることができる。
つまり、高速回転させたローラーをベアリングの球体に接触させただけでは、その回転力の反動でローラーがベアリングからずれやすく、ローラーをベアリングに接触し続けることが困難であったが、ローラーをベアリングに接触させた状態で、姿勢安定部材の先端部をベアリングに当接させていることでローラーの位置ずれを規制すれば、回転するローラーがベアリングに接触し続けることができ、ベアリングの内部に詰まっていた汚れを掻き出す清掃を良好に行うことができる。
【０００９】
また、望ましくは、
前記ローラーはゴム製の部材であり、そのローラーの外周面には複数の凸部が設けられているようにする。
ゴム製のローラーの外周面に複数の凸部が設けられているので、ベアリングの球体をしっかりとグリップして回転させることができる。
【００１０】
また、望ましくは、
前記凸部は略円錐台形状を呈しており、前記ローラーの幅方向外側のものほど、ローラー中心からの先端の位置が高くなるように形成されているようにする。
こうすることで、ローラーの外周面に設けられた複数の凸部を、ベアリングの球体の表面に密着させやすくなる。
また、ローラーの凸部が略円錐台形状を有しているので、折れるなど破損し難く、球体を強くグリップして好適に回転させることができる。
また、
【００１１】
また、望ましくは、
前記凸部の先端には、前記ローラーの幅方向中央に向かって下る傾斜面が形成されており、前記ローラーの幅方向外側の凸部の傾斜面ほど、そのローラーの軸心となす角度が大きいようにする。
こうすることで、ローラーの外周面に設けられた複数の凸部の先端面を、ベアリングの球体の表面により密着させやすくなる。
【００１２】
また、望ましくは、
前記姿勢安定部材の先端部には、少なくとも３つの突起部が設けられているようにする。
姿勢安定部材の先端部をベアリングの枠状部材に当接させる際、少なくとも３つの突起部が枠状部材に突き当たるので、ベアリング清掃器具の姿勢がより安定する。
【００１３】
また、望ましくは、
前記突起部のうち少なくとも１つは可撓性を有しているようにする。
例えば、３つの突起部をベアリングの枠状部材に当接させた状態よりも、３つの突起部のうち少なくとも１つの突起部を弾性変形させるように、姿勢安定部材の先端部を強くベアリングに押し当てた状態の方がローラーとベアリングの球体をより密着させることができる。
ローラーと球体をより密着させると、ローラーの回転力を球体に伝達し易くなるので、ローラーが回転し難い場合には、このようにしてローラーと球体の密着度を上げるように調整すればよい。
【００１４】
また、望ましくは、
前記第２の回転軸に取り付けられている前記ローラーと付け替え可能なローラー型ブラシを備えるようにする。
ローラー型ブラシに付け替えられたベアリング清掃器具を電動ドライバー装置に取り付けて使用すれば、ベアリング床板やベアリングの表面にこびり付いた汚れを掻き落としたり、磨いたりする清掃を行うことができる。
【発明の効果】
【００１５】
本発明によれば、分岐器のベアリング床板のベアリングを好適に清掃することができるベアリング清掃器具が得られる。
【図面の簡単な説明】
【００１６】
【図１】本実施形態のベアリング清掃器具を電動ドライバー装置に取り付けた状態を示す側面図である。
【図２】本実施形態のベアリング清掃器具を電動ドライバー装置に取り付けた状態を示す上面図（ａ）と、その断面図（ｂ）である。
【図３】ベアリング清掃器具のローラーを示す分解斜視図である。
【図４】ベアリング清掃器具のローラーを示す正面図である。
【図５】ベアリング清掃器具でベアリング床板のベアリングを清掃する状態を拡大して示す一方の側面図である。
【図６】ベアリング清掃器具でベアリング床板のベアリングを清掃する状態を拡大して示す下面図である。
【図７】ベアリング清掃器具でベアリング床板のベアリングを清掃する状態を拡大して示す他方の側面図である。
【図８】ベアリング清掃器具のローラーと付け替え可能なローラー型ブラシを示す斜視図である。
【発明を実施するための形態】
【００１７】
以下、図面を参照して、本発明に係るベアリング清掃器具の実施形態について詳細に説明する。但し、以下に述べる実施形態には、本発明を実施するために技術的に好ましい種々の限定が付されているが、本発明の範囲を以下の実施形態及び図示例に限定するものではない。
【００１８】
本実施形態のベアリング清掃器具１００は、電動ドライバー装置９０に取り付けて使用する器具であり、電動ドライバー装置９０に交換可能に取り付けられるようになっている。
図１は、電動ドライバー装置９０に取り付けたベアリング清掃器具１００を示す側面図であり、図２（ａ）は、電動ドライバー装置９０に取り付けたベアリング清掃器具１００を示す上面図である。
このベアリング清掃器具１００は、鉄道の分岐器の可動クロッシングにおいて、可動レールを滑動可能に支承するように組み付けられているベアリング床板１のベアリング２を清掃するために用いる清掃器具であり、その清掃の際に電動ドライバー装置９０に取り付けて使用する。
【００１９】
ベアリング床板１のベアリング２は、球体３と、円形の開口４ａが形成された枠状部材４とを有しており、ベアリング床板１の上面において球体３の一部を開口４ａから露出させた状態で、その球体３を回転可能に保持している（図５〜図７参照）。
【００２０】
ベアリング清掃器具１００は、図１、図２（ａ）（ｂ）に示すように、電動ドライバー装置９０に取り付けられて回転する長尺な第１の回転軸１０と、第１の回転軸１０の先端側に連結されている第２の回転軸２０と、第２の回転軸２０に取り付けられているローラー３０と、第１の回転軸１０に沿って延在し、基端部４１が電動ドライバー装置９０に取り付けられ、先端部４２がローラー３０の近傍に位置するように配される姿勢安定部材４０と、を備えている。
【００２１】
電動ドライバー装置９０は、モータ駆動部（図示省略）や電源部（図示省略）などを備えており、チャック部９１に固定された回転軸をその軸心を中心に回転させる周知の装置である。
例えば、電動ドライバー装置９０は、チャック部９１に固定されたドライバービットやドリルビットを回転させて、ネジ止めや穴あけを行うことができる工作装置である。
【００２２】
第１の回転軸１０は、一端部１１が電動ドライバー装置９０のチャック部９１に固定されて回転される軸部材であり、他端部１２の先端には笠歯車１３が配設されている。
第２の回転軸２０は、第１の回転軸１０と交差する向きに組み付けられている軸部材であり、第１の回転軸１０の笠歯車１３と歯合している笠歯車２３が配設されている。本実施形態の第２の回転軸２０は、第１の回転軸１０と直交する向きに組み付けられている。
そして、電動ドライバー装置９０によって回転された第１の回転軸１０の回転力は、笠歯車１３，２３を介して第２の回転軸２０に伝達されて、第２の回転軸２０が回転するようになっている。
【００２３】
ローラー３０は、第２の回転軸２０に固定されており、第２の回転軸２０を軸心にして第２の回転軸２０と一体に回転する回転体である。
このローラー３０は、ゴム製の部材であり、そのローラー３０の外周面には複数の凸部３１が千鳥配列で設けられている。本実施形態では、例えば、硬度６０°のシリコンゴムを成型してローラー３０を形成した。
【００２４】
図３に示すように、ローラー３０の内周にはリブ３２が設けられており、そのリブ３２を両側から挟み込んでローラー３０と一体になる一対のホイール３３が固設されている。そのホイール３３に嵌入した六角ネジＮを第２の回転軸２０に締め付けることで、ローラー３０を第２の回転軸２０に固定している。
ローラー３０に固設したホイール３３を第２の回転軸２０に固定することで、ローラー３０が空回りすることなく、好適に回転することが可能になる。
【００２５】
ローラー３０の外周面に設けられている凸部３１は、略円錐台形状を呈しており、図４に示すように、ローラー３０の幅方向外側のものほど高く形成されている。
また、凸部３１の先端には、ローラー３０の幅方向中央に向かって下る傾斜面３１ａが形成されており、ローラー３０の幅方向外側の凸部３１の傾斜面３１ａほど、そのローラー３０の軸心となす角度が大きく形成されている。
こうすることで、ローラー３０の凸部３１の先端面を、ベアリング２の球体３の表面に密着させることができる。
なお、ローラー３０の幅方向中央にある凸部３１の先端には、ローラー３０の軸心と平行な平坦面３１ｂが形成されている。
【００２６】
姿勢安定部材４０は、図２（ｂ）に示すように、第１の回転軸１０や第２の回転軸２０を覆うカバー部材であり、その内部で第１の回転軸１０や第２の回転軸２０を回転可能に軸支している。
この姿勢安定部材４０は、例えば、樹脂製の部材であり、分割されて成型された２つのパーツをネジ止めなどして組み立てたものである。
【００２７】
姿勢安定部材４０の基端には、姿勢安定部材４０を電動ドライバー装置９０に取り付けるための基端部４１が設けられている。
姿勢安定部材４０の基端部４１は、電動ドライバー装置９０のチャック部９１を覆うように、ドライバー装置本体に取り付けられる。
この基端部４１側には、チャック部９１や第１の回転軸１０の一端部１１を視認可能にする窓開口部４１ａが設けられており、この窓開口部４１ａからチャック部９１や第１の回転軸１０を触ることができるので、電動ドライバー装置９０のチャック部９１に第１の回転軸１０を取り付け易くなっている。
【００２８】
姿勢安定部材４０の先端には、ローラー３０の一方の側面を露出させるとともにローラー３０の先端側の外周面を露出させる形状の先端部４２が設けられている。つまり、先端部４２は、ローラー３０の他方の側面と、先端側以外の外周面を囲う形状を有している。
姿勢安定部材４０の先端部４２におけるローラー３０の外周面を露出させている箇所には、３つの突起部４３が設けられている。
この３つの突起部４３は、ベアリング２の枠状部材４の表面形状に対応させて形成されており、ベアリング２の枠状部材４に当接する際、点ではなく線あるいは面で接触し、より広く接触できるようになっている（図５〜図７参照）。
なお、３つの突起部４３のうち、両側２つの突起部４３は可撓性を有している。
【００２９】
このような構成のベアリング清掃器具１００を電動ドライバー装置９０に取り付けて使用すれば、電動ドライバー装置９０を操作することでベアリング清掃器具１００のローラー３０を高速回転させることができる。
【００３０】
そして、電動ドライバー装置９０に取り付けたベアリング清掃器具１００を使って、ベアリング床板１のベアリング２を清掃する際、図５〜図７に示すように、姿勢安定部材４０をベアリング床板１に略垂直に突き当てるようにして、姿勢安定部材４０の突起部４３をベアリング２の枠状部材４に当接させ、ローラー３０をベアリング２の球体３に接触させる。
この状態で電動ドライバー装置９０を操作して、ベアリング清掃器具１００のローラー３０を高速回転させることで、ベアリング２の球体３を強制的に回転させる。
【００３１】
ゴム製のローラー３０をベアリング２の球体３に接触させた状態で高速回転させれば、詰まった汚れなどのために人の手作業では回転させることが困難であった球体３であっても回転させることができ、強制的に回転された球体３によってベアリングの内部に詰まって固着していた汚れを掻き出すことができる。
特に、ローラー３０の外周面には複数の凸部３１が設けられているので、ベアリング２の球体３をしっかりとグリップして回転させることができる。
また、ローラー３０の凸部３１は略円錐台形状を有しているので、グリップ力は強く、さらに折れるなど破損し難くなっている。
【００３２】
ここで、電動ドライバー装置９０によって回転されたローラー３０をベアリング２の球体３に接触させた状態で、姿勢安定部材４０の先端部４２の突起部４３をベアリング２の枠状部材４に当接させていることで、ベアリング２に対するローラー３０の位置ずれが規制されるようになっており、ローラー３０によって好適にベアリング２の球体３を回転させることができる。
つまり、高速回転させたローラー３０をベアリング２（球体３）に接触させただけでは、その回転力の反動でローラー３０がベアリング２からずれやすく、ローラー３０をベアリング２に接触し続けることが困難であったが、ローラー３０をベアリング２に接触させた状態で、姿勢安定部材４０の先端部４２（突起部４３）をベアリング２に当接させていることでローラー３０の位置ずれを規制し、高速回転するローラー３０がベアリング２に継続して接触し続けることを可能にしている。
【００３３】
また、姿勢安定部材４０の先端部４２の３つの突起部４３のうち、両側２つの突起部４３が可撓性を有しているので、ローラー３０と球体３の密着度を微調整することができる。
具体的には、３つの突起部４３をベアリング２の枠状部材４に当接させた状態よりも、３つの突起部４３のうち少なくとも１つの突起部４３を弾性変形させるように、姿勢安定部材４０の先端部４２を強くベアリング２に押し当てた状態の方がローラー３０と球体３をより密着させることができる。
ローラー３０と球体３をより密着させると、ローラー３０の回転力を球体３に伝達し易くなるので、ローラー３０が回転し難い場合には、このようにしてローラー３０と球体３の密着度を上げるように調整すればよい。
【００３４】
このように、本実施形態のベアリング清掃器具１００を電動ドライバー装置９０に取り付けて使用すれば、高速回転するローラー３０によって、強制的にベアリング２の球体３を回転させることができ、強制的に回転された球体３によってベアリング２の内部に詰まって固着していた汚れを掻き出す清掃を行うことができる。
なお、高速回転するローラー３０によってベアリング２の球体３を強制的に回転させる際、ベアリング２に向けて潤滑剤スプレーを噴射するようにすれば、球体３の回転がよりスムーズに行われ、効率よく汚れの掻き出しを行うことができる。
【００３５】
なお、本発明は上記実施形態に限られるものではない。
本実施形態のベアリング清掃器具１００は、例えば、図８に示すように、第２の回転軸２０に取り付けられているローラー３０と付け替え可能なローラー型ブラシ５０を備えている。ローラー３０とローラー型ブラシ５０との付け替えは、六角ネジＮの取り外しと取り付けによって容易に行うことができる。
ローラー型ブラシ５０は、中心側に植え込まれたステンレス製の毛材の毛先をブラシの外周側に向けている円柱状のブラシである。
このローラー型ブラシ５０に付け替えられたベアリング清掃器具１００を電動ドライバー装置９０に取り付けて使用すれば、ベアリング床板１やベアリング２の表面にこびり付いた汚れを掻き落とすことができる。
このように、本実施形態のベアリング清掃器具１００は、ローラー３０とローラー型ブラシ５０を容易に付け替えることができるので、清掃用途に応じて付け替えて好適な清掃を行うことができる。
【００３６】
なお、以上の実施の形態においては、ベアリング清掃器具１００の第２の回転軸２０に取り付ける回転体として、ローラー３０とローラー型ブラシ５０を付け替えて使用する場合を例に説明したが、本発明はこれに限定されるものではない。
例えば、電動ドライバー装置９０からベアリング清掃器具１００を外して、電動ドライバー装置９０のチャック部９１に固定された軸と一体に回転する円盤状のブラシ（所謂ポリッシャーブラシ）を用いて、ベアリング床板１やベアリング２の表面にこびり付いた汚れを掻き落とす清掃を行うようにしてもよい。
ベアリング床板１やベアリング２を清掃するポリッシャーブラシの場合、その回転軸は長く、円盤状ブラシの径は小さいものが好ましい。こうすることで、レールの狭隘な箇所でも、ベアリング床板１やベアリング２を磨くように清掃することができる。
【００３７】
また、以上の実施の形態においては、ローラー３０の外周面の凸部３１を、ローラー３０の幅方向外側のものほど高くなるように形成したが、本発明はこれに限定されるものではない。
例えば、ローラー３０の外周面を幅方向中央側が窪むように湾曲した面に形成し、その湾曲面に同じ高さの凸部３１を形成し、ローラー３０の幅方向外側のものほど、ローラー中心からの先端の位置が高くなるようにしてもよい。
【００３８】
また、その他、具体的な細部構造等についても適宜に変更可能であることは勿論である。
【符号の説明】
【００３９】
１      ベアリング床板
２      ベアリング
３      球体
４      枠状部材
４ａ    開口
１０    第１の回転軸
１１    一端部
１２    他端部
１３    笠歯車
２０    第２の回転軸
２３    笠歯車
３０    ローラー
３１    凸部
３１ａ  傾斜面
３１ｂ  平坦面
３２    リブ
３３    ホイール
４０    姿勢安定部材
４１    基端部
４２    先端部
４３    突起部
５０    ローラー型ブラシ
９０    電動ドライバー装置
９１    チャック部
１００  ベアリング清掃器具
Ｎ      六角ネジ
【図１】
2018102824.tif 000003
【図２】
2018102824.tif 000004
【図３】
2018102824.tif 000005
【図４】
2018102824.tif 000006
【図５】
2018102824.tif 000007
【図６】
2018102824.tif 000008
【図７】
2018102824.tif 000009
【図８】
2018102824.tif 000010